(57)【要約】【課題】例えばブルートゥース通信システムにおいて各機器での無駄な動作や無駄な電力消費を回避する。【解決手段】通信装置（ＢＴアダプタ）は、他の通信装置（ＢＴレシーバ）との間のストリームラインの通信を停止させる場合に、接続されているオーディオ再生装置に対してストリーム信号再生の停止コマンドを与える。ストリームラインの通信を停止させる場合とは、オーディオ再生装置からのストリームオーディオ信号をＢＴレシーバ側に送信する動作が行われなくなる場合であるため、オーディオ再生装置で動作を停止させ、無駄な動作や電力消費を回避する。【選択図】図１１
2007306285.tif 000002
【特許請求の範囲】
【請求項１】
ストリーム信号を出力する信号出力装置と、無線通信を行う第１，第２の通信装置とから成る通信システムであって、
上記第１の通信装置は、
上記第２の通信装置との間でストリームラインによるストリーム信号の無線通信及び制御ラインによる制御データの無線通信を行う通信処理部と、
上記信号出力装置から出力される上記ストリーム信号を入力する信号入力部と、
上記信号出力装置に対してコマンド信号を出力するコマンド出力部と、
上記信号入力部により上記信号出力装置から入力されるストリーム信号を上記ストリームラインの通信により上記第２の通信装置に送信させている際において、上記第２の通信装置との上記ストリームラインの通信を停止させる場合に、上記コマンド出力部から上記信号出力装置に、上記ストリーム信号の出力停止のコマンド信号を出力させる制御部と、
を備えたことを特徴とする通信システム。
【請求項２】
他の通信装置との間で、ストリームラインによるストリーム信号の無線通信及び制御ラインによる制御データの無線通信を行う通信処理部と、
接続された信号出力装置から出力される上記ストリーム信号を入力する信号入力部と、
上記信号出力装置に対してコマンド信号を出力するコマンド出力部と、
上記信号入力部により上記信号出力装置から入力されるストリーム信号を上記ストリームラインの通信により上記他の通信装置に送信させている際において、上記他の通信装置との上記ストリームラインの通信を停止させる場合に、上記コマンド出力部から上記信号出力装置に、上記ストリーム信号の出力停止のコマンド信号を出力させる制御部と、
を備えたことを特徴とする通信装置。
【請求項３】
上記制御部は、上記信号入力部により上記信号出力装置から入力されるストリーム信号を上記ストリームラインの通信により上記他の通信装置に送信させる処理を行っている際において、上記他の通信装置との上記制御ラインの通信により上記ストリームラインの通信停止要求があった場合に、上記ストリームラインの通信を停止させると共に、上記コマンド出力部から上記信号出力装置に、上記ストリーム信号の出力停止のコマンド信号を出力させることを特徴とする請求項２に記載の通信装置。
【請求項４】
上記制御部は、上記信号入力部により上記信号出力装置から入力されるストリーム信号を上記ストリームラインの通信により上記他の通信装置に送信させる処理を行っている際において、上記他の通信装置との上記制御ラインの通信により通信切断要求があった場合に、上記コマンド出力部から上記信号出力装置に、上記ストリーム信号の出力停止のコマンド信号を出力させるとともに、電源オフとする処理を行うことを特徴とする請求項２に記載の通信装置。
【請求項５】
上記制御部は、上記信号入力部により上記信号出力装置から入力されるストリーム信号を上記ストリームラインの通信により上記他の通信装置に送信させる処理を行っている際において、電源オフを実行する場合、上記コマンド出力部から上記信号出力装置に、上記ストリーム信号の出力停止のコマンド信号を出力させるとともに、電源オフとする処理を行うことを特徴とする請求項２に記載の通信装置。
【請求項６】
上記制御部はさらに、上記他の通信装置との上記制御ラインの通信により上記ストリームラインの通信開始要求があった場合に、上記ストリームラインの通信の開始制御を行うと共に、上記コマンド出力部から上記信号出力装置に、上記ストリーム信号の出力開始のコマンド信号を出力させる処理を行うことを特徴とする請求項２に記載の通信装置。
【請求項７】
発光表示部を更に備え、
上記制御部は、上記ストリームラインの通信を実行している期間と、上記ストリームラインの通信を停止している期間とで、上記発光表示部に異なる発光態様での発光動作を実行させることを特徴とする請求項２に記載の通信装置。
【請求項８】
発光表示部を更に備え、
上記制御部は、通信接続中の他の通信装置の数に応じた発光態様での発光動作を上記発光表示部に実行させることを特徴とする請求項２に記載の通信装置。
【請求項９】
他の通信装置との間で、ストリームラインによるストリーム信号の無線通信及び制御ラインによる制御データの無線通信を行う通信処理部と、
接続された信号出力装置から出力される上記ストリーム信号を入力する信号入力部と、
上記信号出力装置に対してコマンド信号を出力するコマンド出力部と、
を備えた通信装置の通信方法として、
上記信号入力部により上記信号出力装置から入力されるストリーム信号を上記ストリームラインの通信により上記他の通信装置に送信するステップと、
上記ストリームラインの通信実行中に、上記他の通信装置との上記ストリームラインの通信を停止させる場合に、上記コマンド出力部から上記信号出力装置に、上記ストリーム信号の出力停止のコマンド信号を出力するステップと、
を備えたことを特徴とする通信方法。
【発明の詳細な説明】
【技術分野】
【０００１】
本発明は、通信システム、通信装置、通信方法に関し、例えばブルートゥース（Bluetooth）通信への適用に好適なものである。
【背景技術】
【０００２】
【特許文献１】特開２００４−２３５８３８号公報
【０００３】
例えばブルートゥース方式等による近距離無線通信を利用した電子機器システムが開発されている。例えばパーソナルコンピュータやＰＤＡ（Personal Digital Assistant）等の情報処理装置や、携帯電話機などの機器において近距離無線通信ユニットを実装することが行われている。
ブルートゥースは２．４ＧＨｚの周波数帯を用いて、半径約１０〜１００メートル範囲の機器間で無線通信を行うことのできる規格であり、例えばユーザーが所有する各種の機器間での各種のデータ通信に利用されている。
【発明の開示】
【発明が解決しようとする課題】
【０００４】
ブルートゥース通信は、オーディオ信号やビデオ信号等のストリーム信号の通信にも利用できるが、このため例えば携帯用オーディオ再生装置にブルートゥース通信ユニットを接続し、またヘッドホン側にもブルートゥース通信ユニットを設け、携帯用オーディオ再生装置で再生されたオーディオストリーム信号を、ブルートゥース通信によりヘッドホン側に無線伝送し、ヘッドホン側で再生音声を聴取するというシステムも構築可能である。このようなシステムを利用すると、ユーザーは、携帯用オーディオ再生装置とヘッドホンとをコードレスの状態にして音楽再生等を楽しむことができる。
更にこのようなシステムを想定した場合、ヘッドホン側のブルートゥース通信ユニットでは、ユーザーの所持する携帯電話機等とも通信可能であるため、音楽聴取中に携帯電話に着信があったときに、ヘッドホン側で音楽等の出力を停止させ、ヘッドホン側で通話を行うようなことも可能とすることができる。
【０００５】
例えばこのようなシステムを実用化しようとする場合、各機器での無駄な動作や無駄な電力消費を解消すること、及びユーザーにとってより快適な使用性を実現することが要求される。そこで本発明では、各機器での無駄な動作、電力消費の回避と使用性の向上を目的とする。
【課題を解決するための手段】
【０００６】
本発明の通信システムは、ストリーム信号を出力する信号出力装置と、無線通信を行う第１，第２の通信装置とから成る通信システムである。
そして上記第１の通信装置は、上記第２の通信装置との間でストリームラインによるストリーム信号の無線通信及び制御ラインによる制御データの無線通信を行う通信処理部と、上記信号出力装置から出力される上記ストリーム信号を入力する信号入力部と、上記信号出力装置に対してコマンド信号を出力するコマンド出力部と、上記信号入力部により上記信号出力装置から入力されるストリーム信号を上記ストリームラインの通信により上記第２の通信装置に送信させている際において、上記第２の通信装置との上記ストリームラインの通信を停止させる場合に、上記コマンド出力部から上記信号出力装置に、上記ストリーム信号の出力停止のコマンド信号を出力させる制御部とを備える。
【０００７】
上記第１の通信装置に相当する本発明の通信装置は、他の通信装置との間で、ストリームラインによるストリーム信号の無線通信及び制御ラインによる制御データの無線通信を行う通信処理部と、接続された信号出力装置から出力される上記ストリーム信号を入力する信号入力部と、上記信号出力装置に対してコマンド信号を出力するコマンド出力部と、上記信号入力部により上記信号出力装置から入力されるストリーム信号を上記ストリームラインの通信により上記他の通信装置に送信させている際において、上記他の通信装置との上記ストリームラインの通信を停止させる場合に、上記コマンド出力部から上記信号出力装置に、上記ストリーム信号の出力停止のコマンド信号を出力させる制御部とを備える。
また上記制御部は、上記信号入力部により上記信号出力装置から入力されるストリーム信号を上記ストリームラインの通信により上記他の通信装置に送信させる処理を行っている際において、上記他の通信装置との上記制御ラインの通信により上記ストリームラインの通信停止要求があった場合に、上記ストリームラインの通信を停止させると共に、上記コマンド出力部から上記信号出力装置に、上記ストリーム信号の出力停止のコマンド信号を出力させる。
また上記制御部は、上記信号入力部により上記信号出力装置から入力されるストリーム信号を上記ストリームラインの通信により上記他の通信装置に送信させる処理を行っている際において、上記他の通信装置との上記制御ラインの通信により通信切断要求があった場合に、上記コマンド出力部から上記信号出力装置に、上記ストリーム信号の出力停止のコマンド信号を出力させるとともに、電源オフとする処理を行う。
また上記制御部は、上記信号入力部により上記信号出力装置から入力されるストリーム信号を上記ストリームラインの通信により上記他の通信装置に送信させる処理を行っている際において、電源オフを実行する場合、上記コマンド出力部から上記信号出力装置に、上記ストリーム信号の出力停止のコマンド信号を出力させるとともに、電源オフとする処理を行う。
また上記制御部はさらに、上記他の通信装置との上記制御ラインの通信により上記ストリームラインの通信開始要求があった場合に、上記ストリームラインの通信の開始制御を行うと共に、上記コマンド出力部から上記信号出力装置に、上記ストリーム信号の出力開始のコマンド信号を出力させる処理を行う。
また発光表示部を更に備え、上記制御部は、上記ストリームラインの通信を実行している期間と、上記ストリームラインの通信を停止している期間とで、上記発光表示部に異なる発光態様での発光動作を実行させる。
また発光表示部を更に備え、上記制御部は、通信接続中の他の通信装置の数に応じた発光態様での発光動作を上記発光表示部に実行させる。
【０００８】
本発明の通信方法は上記通信装置で実行される通信方法であり、上記信号入力部により上記信号出力装置から入力されるストリーム信号を上記ストリームラインの通信により上記他の通信装置に送信するステップと、上記ストリームラインの通信実行中に、上記他の通信装置との上記ストリームラインの通信を停止させる場合に、上記コマンド出力部から上記信号出力装置に、上記ストリーム信号の出力停止のコマンド信号を出力するステップとを備える。
【０００９】
このような本発明では、通信装置（第１の通信装置）は、他の通信装置（第２の通信装置）との間のストリームラインの通信を停止させる場合に、接続されている信号出力装置に対してストリーム信号の出力停止のコマンド信号を与える。ストリームラインの通信を停止させる場合とは、例えば他の通信装置からストリームラインの停止要求があった場合や、他の通信装置が電源オフなどの事情により通信切断の要求を発してきた場合、さらには通信装置が自身の電源をオフとする場合などである。
これら、ストリームラインを停止させる場合とは、即ち信号出力装置からのストリーム信号を他の通信装置に送信するという動作が行われなくなる場合である。
【００１０】
なお、ストリーム信号とは、オーディオ信号やビデオ信号など、時間的に連続する信号のことをいう。従って、信号出力装置とは、オーディオ信号やビデオ信号を出力する装置となる。
ストリームラインとは、例えばブルートゥース通信におけるＡ２ＤＰ（Advanced Audio Distribution Profile）やＶＤＰ（Video Distribution Profile）のように、ストリーム信号の伝送のためのプロファイルを用いた通信ラインが該当し、また制御ラインとは、これらＡ２ＤＰやＶＤＰ実装時に用いられるＡＶＤＴＰ（Audio / Video Distribution Transport Protocol）のように、制御コマンドを伝送する通信ライン等となる。もちろんこれらは一例である。
また通信装置をブルートゥース通信ユニットとした場合でも、信号出力装置にコマンド信号を供給する上記コマンド出力部は、その信号出力装置に対応したコマンド信号を発生し、出力する部位であり、ブルートゥース通信におけるプロファイル（例えばＡＶＲＣＰ：Audio / Video Remote Control Profile）を用いてコマンド信号を信号出力装置に送信するものではない。
【発明の効果】
【００１１】
本発明によれば、通信装置（第１の通信装置）は、他の通信装置（第２の通信装置）との間のストリームラインの通信を停止させる場合に、接続されている信号出力装置に対してストリーム信号の出力停止のコマンド信号を出力する。従って、信号出力装置からのストリーム信号を他の通信装置に送信するという動作が行われなくなる場合に、信号出力装置側でのストリーム信号の出力（例えばオーディオ信号の再生出力動作等）を停止させることができ、無駄な動作による電力消費を解消できる。
また、このようにストリームラインの通信を停止させる場合に、信号出力装置に出力停止のコマンド信号を供給することや、他の通信装置からストリームラインの通信開始要求があった場合に、信号出力装置にストリーム信号の出力開始のコマンド信号を出力することで、信号出力装置に適切なシステム動作を行わせることができ、ユーザーの使用性を向上させることができる。
【発明を実施するための最良の形態】
【００１２】
以下、本発明の実施の形態として、オーディオ再生装置とヘッドホンの間で、ブルートゥース通信ユニットを利用し、オーディオ再生装置で再生された音楽等を無線接続によりヘッドホン側で聴取できるシステムを例を挙げて説明する。説明は次の順序で行う。
［１．システム構成］
［２．ＢＴアダプタの内部構成］
［３．ＢＴレシーバの内部構成］
［４．オーディオ再生装置の内部構成］
［５．ＢＴアダプタの処理］
［６．ＢＴレシーバの処理］
［７．動作例］
［８．実施の形態の効果］
【００１３】
［１．システム構成］
図１は実施の形態の通信システムを形成する機器として、ブルートゥース通信ユニット１，２、ヘッドホン３、オーディオ再生装置４、携帯電話機５を例示している。
ブルートゥース通信ユニット１，２は相互にブルートゥース通信を行うユニットである。以下では、説明上の区別のため、ブルートゥース通信ユニット１を「ＢＴアダプタ」、ブルートゥース通信ユニット２を「ＢＴレシーバ」と呼ぶこととする。
【００１４】
オーディオ再生装置４は、例えば携帯用の音楽プレーヤであり、ＣＤ（Compact Disc）やミニディスク等のディスクメディアから楽曲等のオーディオストリーム信号を再生する。もちろん着脱可能なメモリカードや、内蔵された固体メモリ（フラッシュメモリ）、或いはＨＤＤ（Hard Disc Drive）を記録メディアとして使用する再生装置であっても良い。
このオーディオ再生装置４は、ユーザーが所持することに好適な小型軽量の装置とされ、例えば表示部６６や、各種の操作キー６７が設けられている。
【００１５】
ＢＴアダプタ１は、このオーディオ再生装置４に接続され、オーディオ再生装置で再生されて出力されるオーディオストリーム信号をＢＴレシーバ２に送信する動作を行う。つまり、ＢＴアダプタ１は、ブルートゥース通信機能を持たないオーディオ再生装置４に対して、オーディオ信号を無線送信するために接続するアダプタ機器である。
【００１６】
ＢＴレシーバ２は、ヘッドホン３に接続される。このＢＴレシーバ２は、ＢＴアダプタ１から送信されてくるオーディオストリーム信号を受信し、ヘッドホン３において音声出力するためのユニットとなる。またＢＴレシーバ２は、ユーザーがオーディオ再生装置４に対する操作を行う際の操作ユニットとしても機能する。
なお本例ではＢＴレシーバ２はヘッドホン３と別体としているが、ＢＴレシーバ２としての通信機能をヘッドホン３に内蔵させることも考えられる。
【００１７】
このようなシステムでは、例えばユーザーは、ＢＴアダプタ１をオーディオ再生装置４に接続し、ＢＴレシーバ２をヘッドホン３に接続する。そしてヘッドホン３を装着することで、オーディオ再生装置４で再生される音楽等を、ブルートゥースによる無線通信によりヘッドホン３側で聞くことができる。
また、ＢＴレシーバ２が携帯電話機５とのブルートゥース通信を行うことで、ユーザーはヘッドホン３を装着した状態で、特に携帯電話機５を手に持たなくても通話を行うことができる。通話のためのマイクロホンはＢＴレシーバ２に設けられている。
即ちユーザーにとっては、オーディオ再生装置４や携帯電話機５を鞄等に入れて所持したり、近辺に置いている状態であれば、ヘッドホン３を装着し、またＢＴレシーバ２により操作を行うことで、音楽再生を楽しんだり、通話を行うことができる。
【００１８】
ＢＴアダプタ１とＢＴレシーバ２では、オーディオストリーム信号の通信のため例えばＡ２ＤＰ及びＡＶＤＴＰを用いる。
ブルートゥース方式では、いわゆるＡＶプロファイルとして、オーディオ／ビデオのストリーム信号を伝送するための各種のプロファイルが規定されているが、その１つとして、Ａ２ＤＰは高品質オーディオデータを伝送するプロファイルとされている。
そして例えばＡ２ＤＰでは、ＳＣＯ（Synchronous Connection-Oriented Link：回線交換型の接続）を使わずに、ＡＣＬ（Asynchronous Connection-Less Link：パケット交換型の接続）上でデータを転送するものであり、ＡＶデータ転送用のプロトコルであるＡＶＤＴＰを用いる。本例の場合、ＢＴアダプタ１とＢＴレシーバ２ではＡ２ＤＰがストリームライン、ＡＶＤＴＰが制御ラインとして実装されていることになる。
一方、ＢＴレシーバ２と携帯電話機５との間ではＳＣＯを用いた音声データ転送が行われる。実装されるプロファイルは、ＨＳＰ（Headset Profile）及びＨＦＰ（Hands Free Profile）となる。
【００１９】
ＢＴアダプタ１の平面図、側面図、上面図を図２（ａ）（ｂ）（ｃ）に示す。ＢＴアダプタ１は図のように上面側にコードが取り付けられており、コードの先端は接続端子部１１とされている。この接続端子部１１はプラグ部１２とコネクタ部１３を有し、図２（ｄ）のように、このコネクタ部１１は、携帯用のオーディオ再生装置４におけるヘッドホン／リモコン端子６３に接続できるようにされている。
なお、ヘッドホン／リモコン端子６３とは、通常、このオーディオ再生装置４に対応する専用のヘッドホン／リモコンの接続端子部（接続端子部１１と同形状の接続端子部）が接続される端子である。公知のとおりヘッドホン／リモコンとは、ヘッドホンのコードの中間に、オーディオ再生装置４に対する操作子を備えたリモートコントローラを設けたものである。即ちＢＴアダプタ１は、専用のヘッドホン／リモコンに代えて、ヘッドホン／リモコン端子６３に接続できる機器とされる。
プラグ部１２は、Ｌ／Ｒ／コモンの端子を有し、オーディオ再生装置４から出力されるＬ／Ｒステレオのアナログオーディオ信号をＢＴアダプタ１に取り込む端子となる。
コネクタ部１３は、例えば４つの端子を有し、それらはオーディオ再生装置４におけるヘッドホン／リモコン端子６３の電源ライン、グランドライン、コマンドライン、データラインに対応する端子とされている。
オーディオ再生装置４におけるヘッドホン／リモコン端子６３では、元々は、これら電源ライン、グランドライン、コマンドライン、データラインの端子は、オーディオ再生装置４にヘッドホン／リモコンが接続されたときに用いられるものである。即ち電源ライン及びグランドラインはヘッドホン／リモコンのリモートコントローラに対する電源供給のため、またコマンドラインはヘッドホン／リモコンのリモートコントローラからのコマンド信号入力のため、またデータラインはヘッドホン／リモコンの表示部での表示データの送信のために用いられる。
本例のＢＴアダプタ１は、ヘッドホン／リモコン端子６３に接続するために、これに対応した接続端子部１１を有するが、例えばデータラインは使用されない。一方、コマンドラインを利用してＢＴアダプタ１からオーディオ再生装置４にコマンド信号を供給できるようにしている。
【００２０】
図２（ｃ）のようにＢＴアダプタ１にはＡＣアダプタ端子２２が設けられている。ＡＣアダプタ端子２２に図示しないＡＣアダプタを接続することで、内部の二次電池に対する充電を行うことができる。また、図２（ａ）のようにレシーバ装着部２５が設けられており、ＡＣアダプタ接続時に、このレシーバ装着部２５にＢＴレシーバ２を装着することで、ＢＴレシーバ２の内部の二次電池に対しても、同時に充電を行うことができる。
また図２（ａ）（ｂ）に示すように、ＢＴアダプタ１には、電源オン／オフ操作を行うための電源ボタン１９や、ＬＥＤ（Light Emitting Diode）を用いた発光部１８が設けられている。
【００２１】
図３（ａ）（ｂ）（ｃ）（ｄ）（ｅ）にＢＴレシーバ２の平面図、左側面図、右側面図、上面図、底面図を示す。
ＢＴレシーバ２には、ジャック部３６が設けられ、このジャック部にヘッドホン３のプラグ（Ｌ／Ｒ／コモンのステレオプラグ）が接続される。
また操作子としてプレイキー４０ａ、停止キー４０ｂ、４方向押圧キー４０ｃ、＋／−キー４０ｄ、電源キー４０ｅ、ホールドキー４０ｆ等が設けられている。
また例えば上面側に半リング状の発光窓が形成され、その内部にＬＥＤが配置された発光部３７が設けられる。
またＢＴレシーバ２の底面側にはマイクロホン孔３８ａが形成される。このマイクロホン孔の奥には内蔵マイクロホン（後述する図５のマイクロホン３８）が配置される。
【００２２】
［２．ＢＴアダプタの内部構成］
図４にＢＴアダプタ１の内部構成例を示す。
コントローラ１０は、ＣＰＵ（Central Processing Unit）、ＲＯＭ（Read Only Memory）、ＲＡＭ（Random Access Memory）、インターフェース部を有するマイクロコンピュータチップにより形成され、ＢＴアダプタ１の制御部として機能する。コントローラ１０は、ブルートゥース通信処理、電源制御、発光制御、及びオーディオ再生装置４に対するコマンド出力制御等を行う。
通信部１６は、アンテナ１７を介して他の機器とブルートゥース方式の無線通信を行うためのベースバンド処理、ＲＦ処理を行う。コントローラ１０は、ＡＶＤＴＰ及びＡ２ＤＰを用いた通信処理を行い、通信部１６を介して他の機器、例えばＢＴレシーバ２との間でストリームデータや制御データの通信を実現することになる。
【００２３】
上述したように接続端子部１１におけるプラグ部１２は、Ｌ／Ｒ／コモン端子が設けられており、このプラグ部１２により、オーディオ再生装置４で再生されたアナログオーディオ信号がＢＴアダプタ１に入力される。入力されたアナログオーディオ信号はＡ／Ｄ変換器１４でデジタルオーディオ信号に変換され、コントローラ１０に入力される。コントローラ１０は入力されたデジタルオーディオ信号に対してＡ２ＤＰに基づいて送信用のパケットエンコード処理を行い、通信部１６及びアンテナ１７を介して、他の機器（ＢＴレシーバ２等）にオーディオストリーム信号を送信することができる。
また、ストリームラインの通信を実行している場合も、ストリームラインが閉じられている場合も、コントローラ１０は制御ライン（ＡＶＤＴＰ）による制御データの通信を、ＢＴレシーバ２等の他の機器との間で実行できる。
【００２４】
発光部１８は、ＬＥＤによる発光動作を行う。コントローラ１０は、ＬＥＤに対する発光駆動信号としてパルス信号を与える。コントローラ１０は、該パルス信号の周波数やパルスデューティを変化させることで、発光部１８において様々な態様の発光動作を実行させることができる。
本例では発光動作態様としては、例えばストリーミング表示用の発光動作や、接続機器数提示表示としての発光動作が行われるようにする。
ストリーミング表示用の発光動作とは、ストリームライン（Ａ２ＤＰ）によるオーディオストリーム信号の送信を行っている期間の発光動作態様であり、発光駆動信号としてのパルスデューティを徐々に変化させることで、ＬＥＤの発光輝度が徐々に明るくなったり暗くなったりする状態を繰り返すような発光動作とする。
また接続機器数提示表示としての発光動作とは、例えばストリームラインの通信を行っていない期間（後述するが本例では省電力モード時）の発光動作として、通信対象となっている機器の数を提示することのできる発光動作である。例えば１つの機器が通信対象となっている場合は４秒に１回の点灯、２つの機器が通信対象となっている場合は４秒に２回の点灯などとする。４秒に１回の点灯とは、ＬＥＤが、１００ｍｓｅｃ点灯と３９００ｍｓｅｃ消灯を繰り返すことになるようにパルス信号を与えればよい。また、４秒に２回の点灯とは、ＬＥＤが、１００ｍｓｅｃ点灯、１００ｍｓｅｃ消灯、１００ｍｓｅｃ点灯、３９００ｍｓｅｃ消灯を繰り返すことになるようにパルス信号を与えればよい。
なお、この接続機器数提示表示を行う期間において、通信対象機器が存在しないときは、発光部１８を点灯させなかったり、或いは通信対象機器が存在しないが電源オン状態を提示するために、より長い期間をおいて点灯（例えば８秒に１回）などとしてもよい。
また、コントローラ１０は通信対象として接続されている機器数のカウントとしては、接続している通信方式のカテゴリー（例えばオーディオカテゴリーや携帯電話カテゴリー）などで区別してカウントしたり、接続している機器のアドレスで区別してカウントするなど、多様な方式が考えられる。
【００２５】
電源部２０は、二次電池或いは一次電池としてのバッテリー２１を電源として動作電源電圧Ｖｄを各部に供給する。
電源部２０の動作電源電圧Ｖｄの供給の有無、つまりＢＴアダプタ１の電源オン／オフはコントローラ１０によって制御される。コントローラ１０は電源ボタン１９の操作に応じて電源オン／オフ制御を行う。
なお、電源部２０には充電回路系も形成されており、バッテリー２１が二次電池の場合、ＡＣアダプタ端子２２にＡＣアダプタが接続されることで、商用交流電源をＡＣアダプタで整流平滑して得たＤＣ電源ラインからの充電電流を利用して、二次電池に対する充電を行うことができるようにされている。
また、電源オフとは、各部に動作電源電圧Ｖｄの供給を停止した状態であるが、この電源オフの期間においては、コントローラ１０が電源ボタン１９の操作を検知して電源起動を行うことができるようにするため、コントローラ１０にはスタンバイ電源電圧Ｖｓｔによる微少電流が供給される。
【００２６】
コマンド出力部１５は、オーディオ再生装置４に対するコマンド信号を発生させ、コネクタ部１３の１つの端子（コマンドライン端子）に供給する。上述のように、接続端子部１１のプラグ部１２とコネクタ部１３は、オーディオ再生装置４に対応するヘッドホン／リモコンの接続端子と同様であり、当然、オーディオ再生装置４のヘッドホン／リモコン端子６３もヘッドホン／リモコンの接続端子部１１に対応している。ヘッドホン／リモコンの場合、例えばユーザーのキー操作に応じた各種コマンド信号、例えばプレイコマンド、停止コマンド、ＦＦ（早送り／頭出し）コマンド、ＲＥＷ（早戻し／頭出し）コマンド等を、それぞれ抵抗分圧による電圧値の差としてオーディオ再生装置４に伝達する。オーディオ再生装置４側でも、ヘッドホン／リモコン端子６３のコマンドライン端子に与えられた電圧値によって、コマンド内容を判別するようにされている。
これに対応するため、コマンド出力部１５は、ヘッドホン／リモコンと同様に、プレイコマンド、停止コマンド、ＦＦコマンド、ＲＥＷコマンド等を、それぞれ抵抗分圧による電圧値の差としてヘッドホン／リモコン端子６３のコマンドライン端子に与える構成とされる。
【００２７】
なお、接続端子部１１をオーディオ再生装置４のヘッドホン／リモコン端子６３に接続した場合、コネクタ部１３の電源ライン端子及びグランドライン端子によりオーディオ再生装置４からの電源電圧ライン（ＶDD）及びグランドライン（ＧＮＤ）が接続された状態となる。
コマンド出力部１５は、この電源電圧ＶDD−グランドＧＮＤ間を、複数の抵抗により分圧する構成とし、コントローラ１０が出力すべきコマンド内容に応じて所定の分圧点を選択することで、コマンド内容に応じた電圧値をコマンドライン端子に供給するようにすればよい。
【００２８】
また本例では、ＢＴアダプタ１の各部は電源部２０からの動作電源電圧Ｖｄによって動作する構成とされ、オーディオ再生装置４からの電源電圧ＶDDを全体の動作電圧としては用いていない。但し本例では、このオーディオ再生装置４からの電源電圧ＶDD−グランドＧＮＤ間の電圧を、コントローラ１０が監視できるようにしている。即ちコントローラ１０は、電源電圧ＶDD−グランドＧＮＤ間の電圧を監視することで、オーディオ再生装置４が電源オフ状態（スリープ状態）にあるか電源オン状態にあるかを判別できる。更にはこのことは、コントローラ１０が、ＢＴアダプタ１が電源オン状態のオーディオ再生装置４に接続されたことの検出や、ＢＴアダプタ１が電源オン状態のオーディオ再生装置４から取り外されたことの検出もできることになる。
【００２９】
なお、このＢＴアダプタ１が本発明請求項でいう通信装置（第１の通信装置）に相当するが、請求項でいう通信装置の各構成要素は例えば次のように対応する。
通信処理部：アンテナ１７，通信部１６、コントローラ１０で実現されるブルートゥース通信処理機能のための構成部位
信号入力部：プラグ部１１、Ａ／Ｄ変換器１４による、オーディオ再生装置４からのオーディオ信号入力系
コマンド出力部：コマンド出力部１５
制御部：コントローラ１０
【００３０】
［３．ＢＴレシーバの内部構成］
続いて図５によりＢＴレシーバ２の内部構成例を説明する。
コントローラ３０は、ＣＰＵ、ＲＯＭ、ＲＡＭ、インターフェース部を有するマイクロコンピュータチップにより形成され、ＢＴレシーバ２の制御部として機能する。コントローラ１０は、ブルートゥース通信処理、電源制御、発光制御、及びヘッドホン３に供給するオーディオ信号に関する制御等を行う。
通信部３１は、アンテナ３２を介して他の機器とブルートゥース方式の無線通信を行うためのベースバンド処理、ＲＦ処理を行う。コントローラ３０は、例えばＡＶＤＴＰ及びＡ２ＤＰを用いた通信処理を行い、通信部３１を介して他の機器、例えばＢＴアダプタ１との間でストリームデータや制御データの通信を実現することになる。また、コントローラ３０は、例えばＨＦＰ／ＨＳＰを用いた通信処理を行い、通信部３１を介して他の機器、例えば携帯電話機５との間で通話音声としてのデータや制御データの通信を実現することができる。
【００３１】
ＢＴアダプタ１との間で、Ａ２ＤＰを用いたストリームラインの通信を行っている期間は、ＢＴアダプタ１からオーディオ再生装置４で再生されたオーディオストリーム信号が送信されてくることになる。この場合コントローラ３０は、受信したオーディオストリーム信号に対してデコード処理を行い、デコードされたデジタルオーディオ信号をＤ／Ａ変換器３３に供給する。Ｄ／Ａ変換器３３ではデジタルオーディオ信号をアナログオーディオ信号（Ｌ／Ｒステレオ）に変換する。このアナログオーディオ信号は音量調整部３４で音量調整された後、アンプ部３５で増幅され、ジャック部３６に接続されているヘッドホン３に供給されて音声出力されることになる。
また、このようにストリームラインの通信を実行している場合も、或いはストリームラインが閉じられている場合も、コントローラ３０は制御ライン（ＡＶＤＴＰ）による制御データの通信を、ＢＴアダプタ１等の他の機器との間で実行できる。
【００３２】
ＢＴレシーバ２にはマイクロホン３８が内蔵され、マイクロホン３８で集音された音声信号は、マイクアンプ３９で増幅され、Ａ／Ｄ変換器４４でデジタルオーディオ信号とされてコントローラ３０に供給される。
コントローラ３０は例えば携帯電話機５等の機器とＨＦＰ／ＨＳＰを用いた通信処理を行う場合、マイクロホン３８により得られて入力されたデジタルオーディオ信号をエンコード処理を行い、通信部３１及びアンテナ３２を介して、例えば通話時の送話音声データとして携帯電話機５等に送信することができる。またコントローラ３０は、携帯電話機５等から送信されてアンテナ３２及び通信部３１で受信した受話音声データについてはデコード処理を行い、Ｄ／Ａ変換器３３、音量調整部３４、アンプ部３５を介してヘッドホン３に出力させる。
【００３３】
発光部３７は、ＬＥＤによる発光動作を行う。コントローラ３０は、ＬＥＤに対する発光駆動信号してパルス信号を与える。コントローラ３０は、該パルス信号の周波数やパルスデューティを変化させることで、発光部３７において様々な態様の発光動作を実行させることができる。
本例のＢＴレシーバ２では発光動作態様として、上記ＢＴアダプタ１と同様に、例えばストリーミング表示用の発光動作や、接続機器数提示表示としての発光動作が行われるようにする。さらに携帯電話機５を介した通話を行っている期間には、通話表示として、通話状態を提示する発光動作を行う。
ＢＴアダプタ１の場合と同様、ストリーミング表示用の発光動作とは、ストリームライン（Ａ２ＤＰ）によるオーディオストリーム信号の送信を行っている期間の発光動作態様であり、発光駆動信号としてのパルスデューティを徐々に変化させることで、ＬＥＤの発光輝度が徐々に明るくなったり暗くなったりする状態を繰り返すような発光動作とする。
また接続機器数提示表示としての発光動作とは、例えばストリームラインの通信を行っていない期間（後述するが本例では省電力モード時）の発光動作として、通信対象となっている機器の数を提示することのできる発光動作である。例えばＢＴアダプタ１のみ、或いは携帯電話機５のみとして１つの機器が通信対象となっている場合は４秒に１回の点灯させる。また例えばＢＴアダプタ１と携帯電話機５の２つの機器が通信対象となっている場合は４秒に２回の点灯などとする。
この場合もコントローラ３０は、ＢＴアダプタ１のコントローラ１０と同様に、４秒に１回の点灯を実行させる場合、ＬＥＤが１００ｍｓｅｃ点灯と３９００ｍｓｅｃ消灯を繰り返すことになるようにパルス信号を与えればよい。また、４秒に２回の点灯を実行させる場合、ＬＥＤが１００ｍｓｅｃ点灯、１００ｍｓｅｃ消灯、１００ｍｓｅｃ点灯、３９００ｍｓｅｃ消灯を繰り返すことになるようにパルス信号を与えればよい。
また、この接続機器数提示表示を行う期間において、通信対象機器が存在しないときは、発光部３７を点灯させなかったり、或いは通信対象機器が存在しないが電源オン状態を提示するために、より長い期間をおいて点灯（例えば８秒に１回）などとしてもよい。
また、コントローラ３０は通信対象として接続されている機器数のカウントとしては、接続している通信方式のカテゴリー（例えばオーディオカテゴリーや携帯電話カテゴリー）などで区別してカウントしたり、接続している機器のアドレスで区別してカウントするなど、多様な方式が考えられる。
通話表示は、例えば１秒点灯、１秒消灯の繰り返しなどとして、上記ストリーミング表示や接続機器数提示表示とは異なる表示態様とする。
【００３４】
操作部４０は、図３に示した各種操作子としてプレイキー４０ａ、停止キー４０ｂ、４方向押圧キー４０ｃ、ボリュームキー４０ｄ、電源キー４０ｅ、ホールドキー４０ｆ等を備える。
コントローラ３０は、操作部４０の各種操作子を用いたユーザー操作に応じた処理を行う。
プレイキー４０ａの操作を検知した場合、コントローラ３０は、ＢＴアダプタ１に対してプレイコマンドを送信する。
停止キー４０ｂの操作を検知した場合、コントローラ３０は、ＢＴアダプタ１に対して停止コマンドを送信する。
また４方向押圧キー４０ｃによっては、ＦＦ操作、ＲＥＷ操作、ボリュームアップ／ダウン操作が可能とされる。この４方向押圧キー４０ｃによるＦＦ操作、ＲＥＷ操作、或いはボリュームアップ／ダウン操作を検知した場合、コントローラ３０は、ＢＴアダプタ１に対して、その操作に応じたＦＦコマンド、ＲＥＷコマンド、ボリュームアップ／ダウンコマンドを送信する。
なお、これらコマンド信号の送信のためにはＢＴレシーバ２のコントローラ３０と、ＢＴアダプタ１のコントローラ１０の間で、ＡＶＲＣＰ（Audio / Video Remote Control Profile）による通信を実行すればよい。
また、ＢＴアダプタ１のコントローラ１０は、これらプレイコマンド、停止コマンド、ＦＦコマンド、ＲＥＷコマンド、ボリュームアップ／ダウンコマンドを受信した場合、そのコマンドに応じてコマンド出力部１５から所定の電圧値をオーディオ再生装置４に供給すればよい。
このような動作により、ユーザーはＢＴレシーバ２を用いてオーディオ再生装置４の操作を行うことができるようになる。
【００３５】
なお４方向押圧キー４０ｃによるボリュームアップ／ダウン操作、或いは＋／−キー４０ｄによるアップ／ダウン操作に応じては、コントローラ３０は、音量調整部３４の可変抵抗値を可変制御することで、ＢＴレシーバ２内部で音量調整を実行するようにしてもよい。
【００３６】
またプレイキー４０ａ及び停止キー４０ｂは、携帯電話機５の発信及び着信操作としても利用される。例えばプレイキーの長押し操作を検知した場合、コントローラ３０は、それを携帯電話機５の発信操作として、携帯電話機５に対して発信コマンドを送信する。また携帯電話機５に着信した際にプレイキーの長押し操作を検知した場合、コントローラ３０は、ユーザーが携帯電話機５の着信操作を行ったとして、ＢＴレシーバ２を用いた通話処理にうつる。
また停止キー４０ｂのを長押し操作を検知した場合、コントローラ３０は、それを通話終了操作（通話回線切断）と認識して、携帯電話機５の通話終了のための処理を行う。
【００３７】
ホールドキー４０ｆが操作されてコントローラ１０がホールドモードに移行したときは、コントローラ１０は、各種操作子の操作を無効とする。
【００３８】
電源部４１は、二次電池或いは一次電池としてのバッテリー４２を電源として動作電源電圧Ｖｄを各部に供給する。
電源部４１の動作電源電圧Ｖｄの供給の有無、つまりＢＴレシーバ２の電源オン／オフはコントローラ３０によって制御される。コントローラ１０は操作部４０における電源キー４０ｅの操作に応じて電源オン／オフ制御を行う。
なお、電源部４１には充電回路系も形成されており、このＢＴレシーバ２がＢＴアダプタ１のレシーバ装着部２５に装着されたときには、充電端子４３が、ＢＴアダプタ１側の充電回路系に接続されるようにされている。そしてバッテリー２１が二次電池の場合、ＢＴアダプタ１に接続されているＡＣアダプタからの電流を充電端子４３から取り込んで二次電池に対する充電を行うことができるようにされている。
また、電源オフとは、各部に動作電源電圧Ｖｄの供給を停止した状態であるが、この電源オフの期間においては、コントローラ３０が電源キー４０ｅの操作を検知して電源起動を行うことができるようにするため、コントローラ３０にはスタンバイ電源電圧Ｖｓｔによる微少電流が供給される。
【００３９】
［４．オーディオ再生装置の内部構成］
続いて図６でオーディオ再生装置４の内部構成例を説明する。
このオーディオ再生装置４は、メディア再生部１１で所定の記録メディアからオーディオデータ再生を行うものとされる。メディア再生部１１は、例えば光ディスクプレーヤ部、テーププレーヤ部、メモリカード再生部、内蔵メモリ再生部、ＨＤＤなどとして実現可能である。
メディア再生部１１で記録メディアからオーディオデータの読み出しが行われる場合は、オーディオデータは再生信号処理部でデコード処理、エラー訂正処理、Ｄ／Ａ変換処理、アナログ信号処理などが行われ、ヘッドホン出力のためのアナログオーディオ信号としてヘッドホン／リモコン端子６３のジャック部６４に供給される。
ジャック部６４は、Ｌ／Ｒ／コモンの端子を備え、ＢＴアダプタ１の接続端子部１１のプラグ部１２や、同形状のヘッドホン／リモコンの接続端子部のプラグ部に対応する。ＢＴアダプタ１が接続されている場合、上記のように再生信号処理部６２から出力されるアナログオーディオ信号が、ジャック部６４及び図４のプラグ部１２を介して、ＢＴアダプタ１に入力されることになる。
【００４０】
操作部６７は、図１に示したように、ユーザーの操作のために筐体上に設けられる各種キーを示している。また表示部６６は、筐体上に例えば液晶パネル等として形成される表示部であり、例えば動作モード、再生しているトラックナンバ、時間情報などを表示する。
【００４１】
制御部６０は、ＣＰＵ、ＲＯＭ、ＲＡＭ、インターフェース部を有するマイクロコンピュータにより形成され、オーディオ再生装置４の全体を制御する。即ちこの制御部６０は、メディア再生部１１でオーディオデータ再生動作、再生信号処理部６２の処理、表示部６６の表示動作、操作部６７による操作の検知、電源状態制御等を行う。
またヘッドホン／リモコン端子６３には、上述したＢＴアダプタ１のコネクタ部１３やヘッドホン／リモコンのコネクタ部に対応するコネクタジャック部６５が設けられており、制御部６０はコネクタジャック部６５を介して、ＢＴアダプタ１やヘッドホン／リモコンとの間で、上述した電源ライン、グランドライン、コマンドライン、データラインが接続される。ＢＴアダプタ１やヘッドホン／リモコンが接続されている場合、制御部６０はコネクタジャック部６５で接続されるコマンドラインでの電圧値を検知することで、ＢＴアダプタ１やヘッドホン／リモコンから供給されるコマンド信号、例えばプレイコマンドや停止コマンド等を検知することができる。
【００４２】
電源部６８は、二次電池或いは一次電池としてのバッテリー６９を電源として動作電源電圧Ｖｄｄを各部に供給する。
電源部６８の動作電源電圧Ｖｄｄの供給の有無、つまりオーディオ再生装置４の電源オン／オフは制御部６０によって制御される。制御部６０はユーザーが操作部６７を用いて例えばプレイ操作を行った場合に、電源オンとする制御を行う。またコネクタジャック部６５を介して接続されたＢＴアダプタ１等からプレイコマンドが供給された場合も電源オンとする制御を行う。
また制御部６０は、ユーザーが操作部６７を用いて停止操作を行った場合や、コネクタジャック部６５を介して接続されたＢＴアダプタ１等から停止コマンドが供給された場合は、それに応じて再生動作を停止させた後、所定時間何も操作が行われなければ電源オフとし、機器をスリープ状態とする制御を行う。
なおスリープ状態とは、動作電源電圧Ｖｄｄをオフとするが、コントローラ１０に対しては少なくとも操作やコマンドの検知を行うことができるようにするためのスタンバイ電源電圧Ｖｓｔによる微少電流が供給されている状態である。
【００４３】
［５．ＢＴアダプタの処理］
以下では本実施の形態の動作として、ＢＴアダプタ１とＢＴレシーバ２で実行される処理を順次説明し、その後、ＢＴアダプタ１とＢＴレシーバ２の処理により実現される動作例を説明していく。
まずここでは図７により、ＢＴアダプタ１が電源オンとされた後にコントローラ１０が実行する処理を説明する。
【００４４】
ユーザーが電源ボタン１９を操作することに応じて、コントローラ１０は電源起動処理を行い、図７の処理を開始する。まずコントローラ１０はステップＦ１０１として省電力モードとしての動作を開始する。ここでいう省電力モードとは、Ａ２ＤＰによるストリームラインを開かない状態であり、かつＡＶＤＴＰによる制御ラインの通信を間欠的に行う動作を意味する。例えばこのＢＴアダプタ１の場合、スニフモードとして知られている、所定期間毎に制御データのパケット通信を行うモードを採用することができる。
なおＢＴアダプタ１において電力消費が大きくなるのは、Ａ２ＤＰによるストリームライン通信を行っている場合である。Ａ２ＤＰをオープン状態として通信を実行しているか、通信を停止しているかによって電力消費は著しく異なる。このため省電力モードとは、少なくともＡ２ＤＰによる通信を停止している状態とすればよい。
【００４５】
省電モードで動作を開始したら、コントローラ１０はステップＦ１０２で発光部１８に上述した接続機器数提示表示としての表示動作を開始させる。例えばコントローラ１０は、ＢＴレシーバ２のみと通信を行っているのであれば、４秒に１回発光させるように発光部１８のＬＥＤを発光駆動する。
【００４６】
この省電力モードにおいて、コントローラ１０はステップＦ１０３，Ｆ１０４，Ｆ１０５の監視処理を行う。ステップＦ１０３では、制御ライン通信によりＢＴレシーバ２からＡ２ＤＰオープン要求があったか否かを監視する。ステップＦ１０４では、制御ライン通信によりＢＴレシーバ２から通信の切断要求があったか否かを監視する。なお切断要求とは、ＢＴレシーバ２が電源オフとなる際に通信を終了させるために送信してくるものである。ステップＦ１０５では、ＢＴアダプタ１自身をパワーオフする状況となったか否かを監視する。即ちユーザーによる電源ボタン１９の操作が行われることか、或いはバッテリー２１のいわゆる「電池切れ」によって電源オフとせざるを得ない状態となったか否かを監視する。
【００４７】
コントローラ１０はステップＦ１０３でＢＴレシーバ２からＡ２ＤＰオープン要求があったことを検知したら、処理をステップＦ１０６に進め、ストリームラインとしてのＡ２ＤＰオープン処理を行う。そしてステップＦ１０７で通常モードに移行する。即ち制御ライン及びストリームラインとしての通常の通信動作を行うモードである。
またストリームラインを開いて通常モードに移行することに応じてステップＦ１０８で、コントローラ１０は発光部１８に上述したストリーミング表示を開始させる。
続いてステップＦ１０９で、コントローラ１０はコマンド出力部１５を制御して、オーディオ再生装置４に対するプレイコマンドを出力させる。
オーディオ再生装置４側では制御部６０がプレイコマンドを検知することに応じて、そのときスリープ状態であれば電源オン処理を行うと共に、メディア再生部６１、再生信号処理部６２によるオーディオデータ再生動作を開始させる。これによってオーディオ再生装置４で再生されたオーディオストリーム信号がＢＴアダプタ１に供給されてくることになる。
ＢＴアダプタ１のコントローラ１０は、ステップＦ１１０でストリーミング処理を行う。つまりオーディオ再生装置４から供給されるオーディオストリーム信号について、ストリームラインによりＢＴレシーバ２に対して送信する処理を行う。
【００４８】
ストリーミング処理中は、コントローラ１０はステップＦ１１３、Ｆ１１４、Ｆ１１５の監視処理を行う。ステップＦ１１３では、制御ライン通信によりＢＴレシーバ２からのＡ２ＤＰのクローズ要求もしくはサスペンド要求があったか否かを監視する。クローズ要求とは、Ａ２ＤＰによるストリームラインを閉じる要求である。サスペンド要求とは、Ａ２ＤＰはオープンのままとしておくが、通信は停止することの要求である。このクローズ要求とサスペンド要求は、いずれもストリームラインの通信を停止させる要求である。
ステップＦ１１４では、上記ステップＦ１０４と同様に、制御ライン通信によりＢＴレシーバ２から通信の切断要求があったか否かを監視する。またステップＦ１１５では、上記ステップＦ１０５と同様に、ＢＴアダプタ１自身をパワーオフとする状況となったか否かを監視する。
【００４９】
ステップＦ１１３で、ＢＴレシーバ２からのクローズ要求又はサスペンド要求があったことを検知した場合は、コントローラ１０は処理をステップＦ１１６に進め、要求に応じてＡ２ＤＰによるストリームラインのクローズ処理もしくはサスペンド処理を行う。
ストリームラインがクローズもしくはサスペンドされることにより、オーディオストリーム信号のＢＴレシーバ２への送信が行われなくなる。この場合、オーディオ再生装置４で引き続きオーディオ再生動作を行うことは無駄な動作となる。そこでコントローラ１０はステップＦ１１７で、コマンド出力部１５を制御して、オーディオ再生装置４に対する停止コマンドを出力させる。
オーディオ再生装置４側では制御部６０が停止コマンドを検知することに応じて、メディア再生部６１、再生信号処理部６２によるオーディオデータ再生動作を停止させる。なお、オーディオ再生装置４の制御部６０は、再生動作を停止した後、一定時間、ユーザー操作又はコマンド入力が無ければ、電源オフとしてスリープ状態に移行する処理を行う。
【００５０】
ＢＴアダプタ１のコントローラ１０は、ステップＦ１１７で停止コマンドを送信した後は、ステップＦ１０１に戻って省電力モードに移行する。そしてステップＦ１０２で、発光部１８の表示を省電力モード状態での表示、即ち接続機器数提示表示に切り換え、上記同様にステップＦ１０３，Ｆ１０４，Ｆ１０５の監視処理を行う。
【００５１】
ステップＦ１１０のストリーミング処理中において、ステップＦ１１４でＢＴレシーバ２からの切断要求を検知した場合は、コントローラ１０は処理をステップＦ１１８に進め、Ａ２ＤＰによるストリームラインのクローズ処理を行い、さらにステップＦ１１９で発光部１８の表示を接続機器数提示表示に切り換える。この時点まで例えばＢＴレシーバ２のみと通信していたのであれば、接続機器数ゼロを提示する発光動作を実行させる。
そしてコントローラ１０はステップＦ１２０で一定時間待機し、一定時間経過したら、ステップＦ１２１でコマンド出力部１５を制御して、オーディオ再生装置４に対する停止コマンドを出力させる。オーディオ再生装置４側では制御部６０が停止コマンドを検知することに応じて、メディア再生部６１、再生信号処理部６２によるオーディオデータ再生動作を停止させる。
そしてコントローラ１０はステップＦ１２４で電源オフ処理を行う。
【００５２】
またコントローラ１０は省電力モード中にステップＦ１０４においてＢＴレシーバ２からの通信の切断要求を検知した場合は、処理をステップＦ１１１に進め、一定時間待機する。そして、一定時間経過したら、ステップＦ１２４で電源オフ処理を行う。
【００５３】
なお、図７には示していないが、ステップＦ１２０或いはステップＦ１１１で一定時間待機している間に、ＢＴレシーバ２から通信再開の要求があった場合は、ステップＦ１０１に戻ればよい。
【００５４】
ステップＦ１１０のストリーミング処理中において、ユーザーの電源ボタン１９の操作又は電池切れにより、ステップＦ１１５で電源をオフとする状況となったことを検知したら、ステップＦ１２２に進み、制御ライン通信によりＢＴレシーバ２に対して切断要求を送信する。
そしてコントローラ１０はステップＦ１２３でコマンド出力部１５を制御して、オーディオ再生装置４に対する停止コマンドを出力させる。オーディオ再生装置４側では制御部６０が停止コマンドを検知することに応じて、メディア再生部６１、再生信号処理部６２によるオーディオデータ再生動作を停止させる。
そしてコントローラ１０はステップＦ１２４で電源オフ処理を行う。
【００５５】
またコントローラ１０は省電力モード中にステップＦ１０５においてユーザーの電源ボタン１９の操作又は電池切れにより、電源をオフとする状況となったことを検知したら、ステップＦ１１２で制御ライン通信によりＢＴレシーバ２に対して切断要求を送信する。そしてコントローラ１０はステップＦ１２４で電源オフ処理を行う。
【００５６】
［６．ＢＴレシーバの処理］
続いて図８，図９，図１０によりＢＴレシーバ２のコントローラ３０の処理を説明する。
ユーザーが電源キー４０ｅを操作することに応じて、コントローラ３０は電源起動処理を行い、図８の処理を開始する。まずコントローラ３０はステップＦ２０１として省電力モードとしての動作を開始する。省電力モードとは、少なくともＡ２ＤＰによるストリームラインを開いていない状態である。この省電力モードでは、ＡＶＤＴＰに基づく制御ラインによるＢＴアダプタ１との制御データの通信や、ＨＳＰ／ＨＦＰによる携帯電話機５との間の制御データの通信は行っている。
【００５７】
省電力モードで動作を開始したら、コントローラ３０はステップＦ１０２で発光部３７に上述した接続機器数提示表示としての表示動作を開始させる。例えばコントローラ３０は、ＢＴレシーバ２と携帯電話機５のそれぞれと通信を行っている状態であれば、４秒に２回発光させるように発光部３７のＬＥＤを発光駆動する。
【００５８】
この省電力モードにおいて、コントローラ３０はステップＦ２０３，Ｆ２０４，Ｆ２０５、Ｆ２０６，Ｆ２０７の監視処理を行う。ステップＦ２０３では、ユーザーがプレイキー４０ａによるプレイ操作を行ったか否かを監視する。ステップＦ２０４では、携帯電話機５から着信通知があったか否かを監視する。ステップＦ２０５では、ユーザーがプレイキー４０ａの長押し等による携帯電話機５の発信操作を行ったか否かを監視する。ステップＦ２０６では、制御ライン通信によりＢＴアダプタ１から通信の切断要求があったか否かを監視する。この切断要求とは、ＢＴアダプタ１が電源オフとなる際に通信を終了させるために、上記図７のステップＦ１１２又はＦ１２２の処理で送信してくるものである。ステップＦ２０７では、ＢＴレシーバ２自身をパワーオフする状況となったか否かを監視する。即ちユーザーによる電源キー４０ｅの操作が行われることか、或いはバッテリー４２のいわゆる「電池切れ」によって電源オフとせざるを得ない状態となったか否かを監視する。
【００５９】
コントローラ３０はステップＦ２０３でユーザーのプレイ操作を検知したら、処理をステップＦ２０８に進め、通常モードに移行する。即ちＢＴアダプタ１との間で制御ライン及びストリームラインとしての通常の通信動作を行うモードである。
そしてステップＦ２０９でＢＴアダプタ１に対してＡ２ＤＰオープン要求を送信する。
またストリームラインを開いて通常モードに移行することに応じてステップＦ２１０で、コントローラ３０は発光部３７に上述したストリーミング表示を開始させる。
【００６０】
Ａ２ＤＰオープン要求を送信することに応じては、ＢＴアダプタ１側で上記図７のステップＦ１０６〜Ｆ１１０の処理が実行される。これによってオーディオ再生装置４で再生されるオーディオストリーム信号がＢＴレシーバ２に送信されてくる。
ＢＴレシーバ２のコントローラ３０は、ステップＦ２１１のストリーミング処理として、受信処理、オーディオストリーム信号の復調／デコード処理等を行い、ジャック部３６からアナログオーディオ信号をヘッドホン３に供給する処理を行う。
これによってユーザーは、ヘッドホン３からオーディオ再生装置４の再生音楽等を聞くことができる。
【００６１】
ストリーミング処理中は、コントローラ３０はステップＦ２１２、Ｆ２１３、Ｆ２１４、Ｆ２１５，Ｆ２１６の監視処理を行う。ステップＦ２１２では、ユーザーが停止キー４０ｂによる停止操作を行ったか否かを監視する。ステップＦ２１３では、携帯電話機５から着信通知があったか否かを監視する。ステップＦ２１４では、ユーザーがプレイキー４０ａの長押し等による携帯電話機５の発信操作を行ったか否かを監視する。ステップＦ２１５では、制御ライン通信によりＢＴアダプタ１から通信の切断要求があったか否かを監視する。ステップＦ２１６では、ＢＴレシーバ２自身をパワーオフする状況となったか否かを監視する。
【００６２】
ステップＦ２１２でユーザーの停止操作を検知した場合は、コントローラ３０は処理をステップＦ２１７に進め、ストリーミング処理を停止する。この場合、Ａ２ＤＰストリームラインのクローズ又はサスペンド処理を行うと共に、ＢＴアダプタ１に対してクローズ要求又はサスペンド要求を送信する。
そしてコントローラ３０はステップＦ２０１に戻って省電力モードに移行し、ステップＦ２０２で、発光部３７の表示を省電力モード状態での表示、即ち接続機器数提示表示に切り換え、上記同様にステップＦ２０３，Ｆ２０４，Ｆ２０５、Ｆ２０６，Ｆ２０７の監視処理を行う。
【００６３】
ストリーミング処理を行っていない省電力モード時にステップＦ２０４で着信通知を検知した場合は、コントローラ３０は処理を図９のステップＦ２２０に進める。そしてコントローラ３０は、通常モードに移行し、ステップＦ２２１でＳＣＯによる携帯電話機５との間の音声通信ラインを開く。そしてステップＦ２２２で、コントローラ３０は発光部３７に通話時であることを示す通話表示としての発光動作を実行させる。
そしてステップＦ２２３で通話処理を行う。即ちコントローラ３０は、携帯電話機５から送信されてくる通話音声を、受信復調し、ヘッドホン３から出力させる処理と、マイクロホン３８で入力される音声を、携帯電話機５に送信する処理を行う。
【００６４】
この通話処理は通信切断、即ちユーザーは停止キー４０ｂの長押しなどとして通話切断操作を行うなどにより、ステップＦ２２４で携帯電話機５を用いた通話の終了と判断されるまで行われる。
通話が終了したら、コントローラ３０はステップＦ２２５でＳＣＯクローズ処理を行って携帯電話機５に対してＳＣＯクローズ要求を送信し、図８のステップＦ２０１に戻る。コントローラ３０はステップＦ２０１で省電力モードに移行し、ステップＦ２０２で発光部３７に接続機器数提示表示を開始させ、ステップＦ２０３，Ｆ２０４，Ｆ２０５、Ｆ２０６，Ｆ２０７の監視処理にうつる。
【００６５】
なお実際には、図８のステップＦ２０４から図８のステップＦ２２０にに進むのは、実際には、携帯電話機５からの着信通知に応じてコントローラ３０が着信音をヘッドホン３から出力させ、ユーザーがそれに応じて着信操作を行った場合である。もしユーザーが電話に出る意志がなく、着信に応じた着信操作を行わなかった場合は、ステップＦ２２０に進まないようにすればよい。後述するステップＦ２１３の場合も同様である。
【００６６】
図８のステップＦ２０５でユーザーの発信操作を検知した場合は、コントローラ３０は図９のステップＦ２２６に進み、通常モードに移行する。そしてステップＦ２２７で、携帯電話機５に対して発信コマンドを送信する。携帯電話機５では、発信コマンド応じて通話のための発信処理、例えばリダイヤル処理による発呼を行い、通話先との回線を開く。
コントローラ３０は、発信コマンド送信後はステップＦ２２１に進み、上記同様にＳＣＯオープン処理を行い、またステップＦ２２２で発光部３７で通話表示を開始させ、ステップＦ２２３の通話処理に進む。
またステップＦ２２４で通話終了を検知したら、コントローラ３０はステップＦ２２５でＳＣＯクローズ処理を行って携帯電話機５に対してＳＣＯクローズ要求を送信し、図８のステップＦ２０１に戻る。コントローラ３０はステップＦ２０１で省電力モードに移行し、ステップＦ２０２で発光部３７に接続機器数提示表示を開始させ、ステップＦ２０３，Ｆ２０４，Ｆ２０５、Ｆ２０６，Ｆ２０７の監視処理にうつる。
【００６７】
図８のステップＦ２１１のストリーミング処理中に、ステップＦ２１３で着信通知を検知した場合（着信通知の際の着信音に応じてユーザーが着信操作を行った場合）は、コントローラ３０は処理を図１０のステップＦ２４０に進める。そしてコントローラ３０は、その時点でＢＴアダプタ１との間で開いているＡ２ＤＰストリームラインのクローズ又はサスペンド処理を行うと共に、ＢＴアダプタ１に対してクローズ要求又はサスペンド要求を送信する。
そしてコントローラ３０はステップＦ２４１でＳＣＯによる携帯電話機５との間の音声通信ラインを開き、またステップＦ２４２で、発光部３７に通話表示としての発光動作を実行させる。
そしてステップＦ２４３で通話処理を行う。即ちコントローラ３０は、携帯電話機５から送信されてくる通話音声を、受信復調し、ヘッドホン３から出力させる処理と、マイクロホン３８で入力される音声を、携帯電話機５に送信する処理を行う。
この通話処理は通信切断、即ちユーザーは停止キー４０ｂの長押しなどとして通話切断操作を行うなどにより、ステップＦ２４４で携帯電話機５を用いた通話が終了と判断されるまで行われ、通話が終了したら、コントローラ３０はステップＦ２４５でＳＣＯクローズ処理を行って携帯電話機５に対してＳＣＯクローズ要求を送信し、図８のステップＦ２０９に戻る。コントローラ３０はステップＦ２０９でＢＴアダプタ１に対してＡ２ＤＰオープン要求を行い、ステップＦ２１０で発光部３７にストリーミング表示を開始させ、ステップＦ２１１のストリーミング処理を再開する。
【００６８】
図８のステップＦ２１４でユーザーの発信操作を検知した場合は、コントローラ３０は図１０のステップＦ２４６に進み、その時点でＢＴアダプタ１との間で開いているＡ２ＤＰストリームラインのクローズ又はサスペンド処理を行うと共に、ＢＴアダプタ１に対してクローズ要求又はサスペンド要求を送信する。そしてステップＦ２４７で、携帯電話機５に対して発信コマンドを送信する。携帯電話機５では、発信コマンド応じて通話のための発信処理、例えばリダイヤル処理による発呼を行い、通話先との回線を開く。
コントローラ３０は、発信コマンド送信後はステップＦ２４１に進み、上記同様にＳＣＯオープン処理を行い、またステップＦ２４２で発光部３７で通話表示を開始させ、ステップＦ２４３の通話処理に進む。
またステップＦ２４４で通話終了を検知したら、コントローラ３０はステップＦ２４５でＳＣＯクローズ処理を行って携帯電話機５に対してＳＣＯクローズ要求を送信し、図８のステップＦ２０９に戻る。コントローラ３０はステップＦ２０９でＢＴアダプタ１に対してＡ２ＤＰオープン要求を行い、ステップＦ２１０で発光部３７にストリーミング表示を開始させ、ステップＦ２１１のストリーミング処理を再開する。
【００６９】
コントローラ３０は省電力モード中にステップＦ２０６においてＢＴアダプタ１からの通信の切断要求を検知した場合は、処理を図９のステップＦ２２８に進め、一定時間待機する。そして、一定時間経過したら、ステップＦ２２９で電源オフ処理を行う。
また図８のステップＦ２１１のストリーミング処理中において、ステップＦ２１５でＢＴアダプタ１からの切断要求を検知した場合は、コントローラ３０は処理を図１０のステップＦ２４８に進め、Ａ２ＤＰによるストリームラインのクローズ処理を行い、さらにステップＦ２４９で発光部３７の表示を接続機器数提示表示に切り換える。
そしてコントローラ３０はステップＦ２５０で一定時間待機し、一定時間経過したら、ステップＦ２５２で電源オフ処理を行う。
【００７０】
なお、図９、図１０には示していないが、ステップＦ２２８又はステップＦ２５０で一定時間待機している間に、ＢＴアダプタ１から通信再開の要求があった場合は、ステップＦ２０１に戻ればよい。
【００７１】
またコントローラ３０は省電力モード中にステップＦ２０７においてユーザーの電源キー４０ｅの操作又は電池切れにより、電源をオフとする状況となったことを検知したら、図９のステップＦ２３０に進み、制御ライン通信によりＢＴアダプタ１に対して切断要求を送信する。そしてコントローラ３０はステップＦ２２９で電源オフ処理を行う。
またステップＦ２１１のストリーミング処理中において、ユーザーの電源キー４０ｅの操作又は電池切れにより、ステップＦ２１６で電源をオフとする状況となったことを検知したら、図１０のステップＦ２５１に進み、制御ライン通信によりＢＴアダプタ１に対して切断要求を送信する。そしてコントローラ３０はステップＦ２５２で電源オフ処理を行う。
【００７２】
［７．動作例］
ＢＴアダプタ１及びＢＴレシーバ２が以上の処理を行うことで実現される動作例を図１１、図１２，図１３，図１４でそれぞれ説明する。これらは、特にＢＴアダプタ１からオーディオ再生装置４に対して停止コマンドが出力される場合の動作例である。
【００７３】
まず図１１は、ストリーミング処理中に携帯電話着信があった場合の動作例として、ＢＴアダプタ１では図７のステップＦ１１０の処理を行い、またＢＴレシーバ２では図８のステップＦ２１１の処理を行っているときからの動作を示している。各動作を（Ｓ１）〜（Ｓ１４）で示す。また、ＢＴアダプタ１の図７の処理、及びＢＴレシーバ２の図８〜図１０の処理において、各動作に対応する処理のステップ番号を付記する。
【００７４】
（Ｓ１）：オーディオ再生装置４によりオーディオストリーム信号が再生出力され、ＢＴアダプタ１に供給される。
（Ｓ２）：ＢＴアダプタ１は、通常モードの処理として、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１０、Ｆ２１１）。この動作の期間、ＢＴアダプタ１の発光部１８及びＢＴレシーバ２の発光部３７ではストリーミング表示が行われている。
【００７５】
（Ｓ３）：携帯電話機５は待ち受け中において着信があった場合、ＢＴレシーバ２に対して着信通知を送信する。
（Ｓ４）：ＢＴレシーバ２は着信通知に応じて着信音を発生させるなどしてユーザーに着信を伝える。ＢＴレシーバ２のコントローラ３０はこれに応じたユーザーの着信操作を検知する（Ｆ２１３）。
（Ｓ５）：着信操作に応じて通話を開始する際には、ＢＴレシーバ２からＢＴアダプタ１にＡ２ＤＰストリームラインのクローズ要求又はサスペンド要求が送信される（Ｆ２４０、Ｆ１１３）。
（Ｓ６）：クローズ要求又はサスペンド要求を受信したＢＴアダプタ１は、オーディオ再生装置４に停止コマンドを送信する（Ｆ１１６，Ｆ１１７）。オーディオ再生装置４は停止コマンドに応じて再生動作を停止させる。また一定時間経過したら、オーディオ再生装置４はスリープ状態となる。ＢＴアダプタ１は停止コマンドを送信した後、省電力モードに移行する。発光部１８の表示は接続機器数提示表示に切り換えられる（Ｆ１０１，Ｆ１０２）。
（Ｓ７）：ＢＴレシーバ２は、通話を開始するために、携帯電話機５に対してＳＣＯオープン要求を行う（Ｆ２４１）。なお、ＢＴレシーバ２では発光部３７で通話表示を行う状態となる（Ｆ２４２）。
（Ｓ８）：携帯電話機５とＢＴレシーバ２の間でＳＣＯによる通話音声ラインが開かれ、通話処理が行われる（Ｆ２４３）。
【００７６】
（Ｓ９）：ＢＴレシーバ２は、ユーザーの通話切断操作により通話終了を検知する（Ｆ２４４）。
（Ｓ１０）：ＢＴレシーバ２は、携帯電話機５との間のＳＣＯによる通話音声ラインをクローズする（Ｆ２４５）。
（Ｓ１１）：通話終了後、通話前のストリーミング処理を再開するために、ＢＴレシーバ２からＢＴアダプタ１にＡ２ＤＰオープン要求が送信される（Ｆ２０９、Ｆ１０３）。
（Ｓ１２）：Ａ２ＤＰオープン要求を受信したＢＴアダプタ１は、オーディオ再生装置４にプレイコマンドを送信する（Ｆ１０６〜Ｆ１０９）。オーディオ再生装置４はプレイコマンドに応じて再生動作を開始する。スリープ状態であった場合は、電源起動を行った後再生動作を開始する。ストリーミング処理の再開に応じて、ＢＴレシーバ２の発光部３７の表示、及びＢＴアダプタ１の発光部１８の表示はストリーミング表示に切り換えられる（Ｆ２１０、Ｆ１０８）。  
（Ｓ１３）：オーディオ再生装置４によりオーディオストリーム信号が再生出力され、ＢＴアダプタ１に供給される。
（Ｓ１４）：ＢＴアダプタ１は、オーディオ再生装置から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１０、Ｆ２１１）。
【００７７】
次に図１２は、ストリーミング処理中にユーザーが携帯電話通話の発信操作を行った場合の動作例を示している。各動作を（Ｓ２１）〜（Ｓ３４）で示す。また各動作について、上記図７、図８〜図１０の処理のステップ番号を付記する。
（Ｓ２１）：オーディオ再生装置４によりオーディオストリーム信号が再生出力され、ＢＴアダプタ１に供給される。
（Ｓ２２）：ＢＴアダプタ１は、通常モードの処理として、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１０、Ｆ２１１）。この動作の期間、ＢＴアダプタ１の発光部１８及びＢＴレシーバ２の発光部３７ではストリーミング表示が行われている。
【００７８】
（Ｓ２３）：ＢＴレシーバ２は携帯電話機５を用いた通話を行うための、ユーザーの発信操作を検知する（Ｆ２１４）。
（Ｓ２４）：発信操作に応じて通話を開始する際には、ＢＴレシーバ２からＢＴアダプタ１にＡ２ＤＰストリームラインのクローズ要求又はサスペンド要求が送信される（Ｆ２４６、Ｆ１１３）。
（Ｓ２５）：クローズ要求又はサスペンド要求を受信したＢＴアダプタ１は、オーディオ再生装置４に停止コマンドを送信する（Ｆ１１６，Ｆ１１７）。オーディオ再生装置４は停止コマンドに応じて再生動作を停止させる。また一定時間経過したら、オーディオ再生装置４はスリープ状態となる。ＢＴアダプタ１は停止コマンドを送信した後、省電力モードに移行する。発光部１８の表示は接続機器数提示表示に切り換えられる（Ｆ１０１，Ｆ１０２）。
（Ｓ２６）：ＢＴレシーバ２は、携帯電話機５に発信動作を行わせるために、携帯電話機５に対して発信コマンドを送信する（Ｆ２４７）。なお、ＢＴレシーバ２では発光部３７で通話表示を行う状態となる。携帯電話機５では、これに応じてダイヤル発信動作がおこなわれ、相手先の着信処理により通話回線が接続される。
（Ｓ２７）：ＢＴレシーバ２は、通話を開始するために、携帯電話機５に対してＳＣＯオープン要求を行う（Ｆ２４１）。
（Ｓ２８）：携帯電話機５とＢＴレシーバ２の間でＳＣＯによる通話音声ラインが開かれ、通話処理が行われる（Ｆ２４３）。
【００７９】
（Ｓ２９）：ＢＴレシーバ２は、ユーザーの通話切断操作により通話終了を検知する（Ｆ２４４）。
（Ｓ３０）：ＢＴレシーバ２は、携帯電話機５との間のＳＣＯによる通話音声ラインをクローズする（Ｆ２４５）。
（Ｓ３１）：通話終了後、通話前のストリーミング処理を再開するために、ＢＴレシーバ２からＢＴアダプタ１にＡ２ＤＰオープン要求が送信される（Ｆ２０９、Ｆ１０３）。
（Ｓ３２）：Ａ２ＤＰオープン要求を受信したＢＴアダプタ１は、オーディオ再生装置４にプレイコマンドを送信する（Ｆ１０６〜Ｆ１０９）。オーディオ再生装置４はプレイコマンドに応じて再生動作を開始する。スリープ状態であった場合は、電源起動を行った後再生動作を開始する。ストリーミング処理の再開に応じて、ＢＴレシーバ２の発光部３７の表示、及びＢＴアダプタ１の発光部１８の表示はストリーミング表示に切り換えられる（Ｆ２１０、Ｆ１０８）。  
（Ｓ３３）：オーディオ再生装置４によりオーディオストリーム信号が再生出力され、ＢＴアダプタ１に供給される。
（Ｓ３４）：ＢＴアダプタ１は、オーディオ再生装置から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１０、Ｆ２１１）。
【００８０】
次に図１３は、ストリーミング処理中にＢＴアダプタ１が電源オフとなる場合の動作例を示している。各動作を（Ｓ３１）〜（Ｓ３７）で示す。また各動作について、上記図７、図８〜図１０の処理のステップ番号を付記する。
【００８１】
（Ｓ３１）：オーディオ再生装置４によりオーディオストリーム信号が再生出力され、ＢＴアダプタ１に供給される。
（Ｓ３２）：ＢＴアダプタ１は、通常モードの処理として、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１０、Ｆ２１１）。この動作の期間、ＢＴアダプタ１の発光部１８及びＢＴレシーバ２の発光部３７ではストリーミング表示が行われている。
【００８２】
（Ｓ３３）：ＢＴアダプタ１のコントローラ１０が、ユーザーの電源ボタン１９の操作を検知する。もしくはコントローラ１０が、バッテリー２１の残量が残り少なくなり、電池切れの状態になったことを検知する（Ｆ１１５）。
（Ｓ３４）：ＢＴアダプタ１は電源オフとして通信を終了させる際に、通信中のＢＴレシーバ２に対して切断要求を送信する（Ｆ１２２）。ＢＴレシーバ２は切断要求を検知する（Ｆ２１５）。
（Ｓ３５）：ＢＴアダプタ１はまた、電源オフとして通信を終了させる際に、オーディオ再生装置４に対して停止コマンドを送信する（Ｆ１２３）。オーディオ再生装置４は停止コマンドに応じて再生動作を停止させる。また一定時間経過したら、オーディオ再生装置４はスリープ状態となる。
（Ｓ３６）：ＢＴアダプタ１は電源オフ処理を行う（Ｆ１２４）。
（Ｓ３７）：切断要求を受信したＢＴレシーバ２は、Ａ２ＤＰストリームラインの通信を停止し、発光部３７の表示を接続機器数提示表示に切り換えた状態で一定時間待機する。そして一定時間経過後、電源オフ処理を行う（Ｆ２４８〜Ｆ２５２）。
【００８３】
次に図１４は、ストリーミング処理中にＢＴレシーバ２が電源オフとなる場合の動作例を示している。各動作を（Ｓ４１）〜（Ｓ４７）で示す。また各動作について、上記図７、図８〜図１０の処理のステップ番号を付記する。
【００８４】
（Ｓ４１）：オーディオ再生装置４によりオーディオストリーム信号が再生出力され、ＢＴアダプタ１に供給される。
（Ｓ４２）：ＢＴアダプタ１は、通常モードの処理として、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１０、Ｆ２１１）。この動作の期間、ＢＴアダプタ１の発光部１８及びＢＴレシーバ２の発光部３７ではストリーミング表示が行われている。
【００８５】
（Ｓ４３）：ＢＴレシーバ２のコントローラ３０が、ユーザーの電源キー４０ｅの操作を検知する。もしくはコントローラ３０が、バッテリー４２の残量が残り少なくなり、電池切れの状態になったことを検知する（Ｆ２１６）。
（Ｓ４４）：ＢＴレシーバ２は電源オフとして通信を終了させる際に、通信中のＢＴアダプタ１に対して切断要求を送信する（Ｆ２５１）。ＢＴアダプタ１は切断要求を検知する（Ｆ１１４）。
（Ｓ４５）：ＢＴレシーバ２は電源オフ処理を行う（Ｆ２５２）。
（Ｓ４６）：切断要求を受信したＢＴレシーバ２は、Ａ２ＤＰストリームラインの通信を停止し、発光部１８の表示を接続機器数提示表示に切り換えた状態で一定時間待機する（Ｆ１１８，Ｆ１１９，Ｆ１２０）。そして一定時間経過後、オーディオ再生装置４に対して停止コマンドを送信する（Ｆ１２１）。オーディオ再生装置４は停止コマンドに応じて再生動作を停止させる。また一定時間経過したら、オーディオ再生装置４はスリープ状態となる。
（Ｓ４７）：ＢＴアダプタ１は電源オフ処理を行う（Ｆ１２４）。
【００８６】
［８．実施の形態の効果］
以上、実施の形態について説明してきたが、この実施の形態によれば次のような効果が得られる。
ＢＴアダプタ１は、ＢＴレシーバ２との間のＡ２ＤＰストリームラインの通信を停止させる場合に、オーディオ再生装置４に対してストリーム信号の出力停止のコマンド信号、即ち停止コマンドを出力する。これによりオーディオ再生装置４の再生動作が停止される。
つまり、Ａ２ＤＰストリームラインがクローズ又はサスペンドされ、ヘッドホン３でオーディオ再生装置４の再生音声出力が行われなくなるときには、オーディオ再生装置４の再生動作が停止されることで、オーディオ再生装置４において無駄な動作による電力消費を解消できる。
さらには、このような動作を実現するために、例えばＡＶＲＣＰによるコマンドとしてＢＴレシーバ２から停止コマンドを発行する必要もない。
また上述の動作例のように、ＢＴアダプタ１からオーディオ再生装置４に停止コマンドが出力されるのは、着信又は発信により電話通話を行う場合や、ＢＴアダプタ１もしくはＢＴレシーバ２が電源オフとされる場合であり、つまりオーディオ再生装置４の再生動作が無用になる場合である。これは、ユーザーにとって例えばオーディオ再生装置４のバッテリー６９の残量を気遣ってオーディオ再生装置４の動作を気にする必要は無くすこととなる。もちろんわざわざユーザーがオーディオ再生装置４の電源オフ操作を行う必要はない。このことからユーザーの使用性を向上させることができる。
【００８７】
またＢＴレシーバ２、ＢＴアダプタ１は、省電力モード時において通信状態にある機器数を発光部１８、３７で表現できるような表示を行う。これによってユーザーは通信接続が維持されていることや接続機器数を認識できる。
またＢＴレシーバ２、ＢＴアダプタ１は、ストリーミング処理時において発光部１８、３７で省電力モード時とは異なる発光態様のストリーミング表示を行う。これによってユーザーはストリーミング動作状態を認識できると共に、電力消費の大きい動作期間であることを認識できる。
また例えばＬＥＤによる発光部１８、３７でこのような表示を行うことで、例えば液晶パネル等での動作状態表示に変えることができ、ＢＴアダプタ１、ＢＴレシーバ２の小型化や製造コストの低減にも有効である。
【００８８】
本発明は上記実施の形態の例に限らず、多様な変形例が考えられる。
本発明請求項でいう第１，第２の通信装置としての実施の形態のＢＴアダプタ１、ＢＴレシーバ２の構成（図２，図３、図４，図５）や処理手順（図７，図８、図９，図１０）は一例であり、多様な変形例が想定されることはいうまでもない。
例えばストリーミング処理中に、ＢＴアダプタ１とＢＴレシーバ２とが通信可能な距離以上に離れてしまって通信不能となったような場合など、切断要求を受けないまま通信不能となってしまったような場合にも、ＢＴアダプタ１はオーディオ再生装置４に対して停止コマンドを送信するような処理を行うことも適切である。
【００８９】
また通信装置（第１の通信装置）としてのＢＴアダプタ１等が接続される、ストリーム信号を出力する信号出力装置としては、携帯用のオーディオ再生装置４に限らず、据置型のオーディオ再生装置でもよいし、テレビジョン放送、ラジオ放送、或いはネットワーク配信等から得られるオーディオ信号、ビデオ信号を出力する機器であってもよい。
第２の通信装置としてのＢＴレシーバ２等が接続される機器はヘッドホン３に限らず、スピーカ装置、映像表示装置などでもよい。
【図面の簡単な説明】
【００９０】
【図１】本発明の実施の形態の通信システムの説明図である。
【図２】実施の形態のＢＴアダプタの外観の説明図である。
【図３】実施の形態のＢＴレシーバの外観の説明図である。
【図４】実施の形態のＢＴアダプタのブロック図である。
【図５】実施の形態のＢＴレシーバのブロック図である。
【図６】実施の形態のオーディオ再生装置のブロック図である。
【図７】実施の形態のＢＴアダプタの処理のフローチャートである。
【図８】実施の形態のＢＴレシーバの処理のフローチャートである。
【図９】実施の形態のＢＴレシーバの処理のフローチャートである。
【図１０】実施の形態のＢＴレシーバの処理のフローチャートである。
【図１１】実施の形態の携帯電話着信時の動作例の説明図である。
【図１２】実施の形態の携帯電話発信時の動作例の説明図である。
【図１３】実施の形態のＢＴアダプタの電源オフ時の動作例の説明図である。
【図１４】実施の形態のＢＴレシーバの電源オフ時の動作例の説明図である。
【符号の説明】
【００９１】
１  ＢＴアダプタ、２  ＢＴレシーバ、３  ヘッドホン、４  オーディオ再生装置、５  携帯電話機、１０  コントローラ、１１  接続端子部、１２  プラグ部、１３  コネクタ部、１５  コマンド出力部、１６  通信部、１８  発光部、１９  電源ボタン、２０  電源部、３０  コントローラ、３１  通信部、３７  発光部、３８  マイクロホン、４０  操作部、４２  電源部
【図１】
2007306285.tif 000003
【図２】
2007306285.tif 000004
【図３】
2007306285.tif 000005
【図４】
2007306285.tif 000006
【図５】
2007306285.tif 000007
【図６】
2007306285.tif 000008
【図７】
2007306285.tif 000009
【図８】
2007306285.tif 000010
【図９】
2007306285.tif 000011
【図１０】
2007306285.tif 000012
【図１１】
2007306285.tif 000013
【図１２】
2007306285.tif 000014
【図１３】
2007306285.tif 000015
【図１４】
2007306285.tif 000016